(57)【要約】      （修正有）【課題】ペットの有無、自動的に水が使用される機器の有無などにあわせて不在設定から在室設定への自動切り替えをおこなうか否かの選択を可能にし、誤報のない生活異変監視システムを提供する。【解決手段】集合玄関機１、居室親機５、管理室親機３、制御機２、居住者の状態を監視するため水が使用されたことを検知する水センサ９、居住者が動作したことを検知する動体検知センサ１０等の生活異変監視センサとから構成され、居住者が外出するとき、帰宅したときに生活異変監視センサでの監視をおこなうか否かを設定するための在室／不在切替スイッチ６を備え、在室／不在切替スイッチ６が不在の状態において、水が使用されたこと、居住者が動作したこと等、生活異変監視センサが居住者を検出することができた場合に自動的に在室の状態に切り替える制御をおこなうか否かを設定するための在室自動切替スイッチを備える。【選択図】図１
2011175490.tif 000002
【特許請求の範囲】
【請求項１】
高齢者集合住宅等のエントランスに設置され来訪者が居住者を呼び出すために操作する集合玄関機と、前記集合玄関機からの呼び出しを報知し、それを確認した前記居住者が前記来訪者と通話するための居室親機と、管理室に設置され前記居住者と通話するための管理室親機と、前記集合玄関機、前記居室親機及び管理室親機を制御する制御機と、居住者の状態を監視するため水が使用されたことを検知する水センサ、居住者が動作したことを検知する動体検知センサ等の生活異変監視センサとから構成され、
居住者が外出するとき、帰宅したときに前記生活異変監視センサでの監視をおこなうか否かを設定するための在室／不在切替スイッチを備え、
前記在室／不在切替スイッチが不在の状態において、水が使用されたこと、居住者が動作したこと等、前記生活異変監視センサが居住者を検出することができた場合に自動的に在室の状態に切り替える制御をおこなうか否かを設定するための在室自動切替スイッチを備えたことを特徴とする生活異変監視システム。
【発明の詳細な説明】
【技術分野】
【０００１】
本発明は、生活異変監視システムに係り、特に居住者が不在中に、水センサや動体検知センサが働いても、不在状態を維持して誤発報のない生活異変監視システムに関する。
【背景技術】
【０００２】
従来から、生活異変監視システムとして、居住者がでかけるときに不在設定とし、不在中は所定時間内に各種センサ（水センサ、動体検知センサ）が検知しない場合であっても生活異変として警報発報をおこなわないシステムが提案されている。このシステムにおいて、居住者が帰宅したときに不在設定を在室設定に変更忘れをすることで、監視状態を解除したままになり居住者の体調に異変が生じた場合に対処できなくなることを防止するため、不在設定されている状態で各種センサが検知した場合には在室設定に自動的に変更するようにし、確実に居住者の異変を監視できるようにしていた（特許文献１）。
【先行技術文献】
【特許文献】
【０００３】
【特許文献１】特開２００３−１０９１５８号公報
【発明の開示】
【発明が解決しようとする課題】
【０００４】
しかしながら、従来の生活異変監視システムは、不在中に、洗濯機やトイレが自動動作することで水センサが働いたり、人ではなく犬や猫などのペットが動くことにより動体検知センサが動作すると、自動的に在室状態となってしまう虞があった。この場合、居住者がいないにも関わらず、在室状態となり、水センサや動体検知センサが一定時間反応せず、人が動いていないと判断し、異常状態であるとして管理室親機へ通報してしまうこととなる。
本発明は、この難点を解決するためになされたもので、ペットがいる／いない、自動的に水が使用される機器がある／ないなどの居住者のライフスタイルにあわせて不在設定から在室設定への自動切り替えをおこなうか否かの選択を可能にし、誤報のない生活異変監視システムを提供することを目的としている。
【課題を解決するための手段】
【０００５】
上述の目的を達成するため、本発明の第１の態様である生活異変監視システムは、高齢者集合住宅等のエントランスに設置され来訪者が居住者を呼び出すために操作する集合玄関機と、集合玄関機からの呼び出しを報知し、それを確認した居住者が来訪者と通話するための居室親機と、管理室に設置され居住者と通話するための管理室親機と、集合玄関機、居室親機及び管理室親機を制御する制御機と、居住者の状態を監視するため水が使用されたことを検知する水センサ、居住者が動作したことを検知する動体検知センサ等の生活異変監視センサとから構成され、居住者が外出するとき、帰宅したときに生活異変監視センサでの監視をおこなうか否かを設定するための在室／不在切替スイッチを備え、在室／不在切替スイッチが不在の状態において、水が使用されたこと、居住者が動作したこと等、生活異変監視センサが居住者を検出することができた場合に自動的に在室の状態に切り替える制御をおこなうか否かを設定するための在室自動切替スイッチを備えたことを特徴とする。
【発明の効果】
【０００６】
請求項１の生活異変監視システムによれば、ペットがいる／いない、自動的に水が使用される機器がある／ないなどの居住者のライフスタイルにあわせて不在設定から在室設定への自動切り替えをおこなうか否かの選択を可能にし、誤報のない生活異変監視システムを提供することができる。
【図面の簡単な説明】
【０００７】
【図１】本発明における生活異変監視システムの構成図である。
【図２】本発明における生活異変監視システムのブロック図である。
【発明を実施するための最良の形態】
【０００８】
以下、本発明の生活異変監視システムを適用した好ましい形態の実施例について、図面を参照して説明する。
図１は、本発明の実施例における生活異変監視システムのシステム構成図である。
高齢者集合住宅等のエントランスに設置され来訪者が居住者を呼び出すために操作する集合玄関機１と、集合玄関機１からの呼び出しを報知し、それを確認した居住者が来訪者と通話するための居室親機５と、管理室に設置され居住者と通話するための管理室親機３と、集合玄関機１、居室親機５及び管理室親機３を制御する制御機２とから構成され、居室親機５は住戸アダプター４を介して制御機２に接続されている。
また、住戸アダプター４には、居室親機５の他に、居住者の在室、不在の状態を切り替えて居住者の状態（容態）を監視するか否かを設定するための在室／不在切替スイッチ６、居室親機５を用いることなく管理室親機と通話するための天井マイク７、天井スピーカ８、居住者の状態（容態）を監視するための水センサ９、動体検知センサ１０が接続されている。
【０００９】
図２は、住戸アダプター４及び居室親機５のブロック図である。
住戸アダプター４は、制御機２と通信するための住戸アダプターＩＦ４１と、居室親機５、在室／不在切替スイッチ６、天井マイク７、天井スピーカ８、水センサ９、動体検知センサ１０と通信するための住戸アダプターＩＦ４２と、居住者のライフスタイルにあわせて不在設定から在室設定への自動切り替えをおこなうか否かの選択をおこなうための在室自動切替スイッチ４３と、住戸アダプター４内の各部を制御するための住戸アダプターＣＰＵ４４とを有し、居室親機５は、住戸アダプター４と通信するための居室親機ＩＦ５１と、集合玄関機１や管理室親機３と通話するためのハンドセット５２、マイク５３、スピーカ５４と、居室親機５の各部を制御するための居室親機ＣＰＵ５５とを有している。
【００１０】
このように構成されたインターホンシステムについて、以下、動作を説明する。
集合玄関機１又は管理室親機３からの呼び出しに応答するため、居室親機５のハンドセットを取り上げると、居室親機ＣＰＵ５５がハンドセット通話に入ったこと検出し、住戸アダプター４を介して制御機２に通知され、制御機２の制御により通話路を形成することについては従来と同様であるので詳述せず、ここでは、居住者の状態（容態）を監視する生活異変監視について詳述することとする。
居住者が住戸アダプター４の在室自動切替スイッチ４３をオンさせて、不在状態において各種センサである水センサ９や動体検知センサ１０が検知したとき、在室状態に自動的に切り替える設定にしていた場合についての動作は以下のとおりとなる。
【００１１】
居住者は外出するにあたり、住戸アダプター４に接続された在室／不在切替スイッチ６を操作して不在に設定する。この状態は住戸アダプタＩＦ４２を介して住戸アダプターＣＰＵ４４にて受信され、不在状態であることを記憶する。
この不在状態においては所定時間の間、水センサ９、動体検知センサ１０が未検知状態であっても異常状態であるとは検出しない。具体的には、所定時間を計時するタイマを駆動させないことにより、異常状態を検出しないようにしたり、所定時間の間、水センサ９、動体検知センサ１０が未検知状態であっても住戸アダプターＣＰＵ４４を参照して、不在状態であれば異常状態としないように制御することにより実現される。
【００１２】
居住者が帰宅し、住戸アダプター４に接続された在室／不在切替スイッチ６を操作して在室に設定すると、監視状態に移行し、所定時間の間、水センサ９、動体検知センサ１０が未検知状態であると住戸アダプターＣＰＵ４４が検出すると、天井マイク７、天井スピーカ８及び居室親機５のスピーカ５４から警報を発報するよう制御するとともに、制御機２に対して異常信号を送信する。制御機２は、管理室親機３に当該異常信号を送信し、管理室親機３でも警報を報知する。
これを確認した管理人は、管理室親機３を操作して居室親機３又は天井マイク７、天井スピーカ８間で呼出、通話をおこなうこととなる。また、これに反応がない場合には、管理人が異常信号を検出した居室に赴き、居住者の状態を確認する。
また、居住者が帰宅し、住戸アダプター４に接続された在室／不在切替スイッチ６の操作を忘れて不在状態のままとしてしまった場合であっても、水を使用したり、居住者が動くことによって、水センサ９又は動体検知センサ１０がこれを検知して住戸アダプター４の住戸アダプターＩＦ４２を介して住戸アダプターＣＰＵ４４に通知し、不在状態から在室状態へ監視状態を変更する制御がおこなわれる。これにより、在室／不在切替スイッチ６の操作を忘れても監視状態に移行することができるので居住者の状態（容態）を監視することができる。
【００１３】
次に、例えば、ペットがいる、自動的に水が使用される機器があるなどの居住者のライフスタイルにより、居住者が住戸アダプター４の在室自動切替スイッチ４３をオフさせて、不在状態において各種センサである水センサ９や動体検知センサ１０が検知したときであっても不在状態を維持する設定にしていた場合についての動作は以下のとおりとなる。
居住者は外出するにあたり、住戸アダプター４に接続された在室／不在切替スイッチ６を操作して不在に設定する。この状態は住戸アダプタＩＦ４２を介して住戸アダプターＣＰＵ４４にて受信され、不在状態であることを記憶する。
【００１４】
この不在状態においては所定時間の間、水センサ９、動体検知センサ１０が未検知状態であっても異常状態であるとは検出しない。具体的には、所定時間を計時するタイマを駆動させないことにより、異常状態を検出しないようにしたり、所定時間の間、水センサ９、動体検知センサ１０が未検知状態であっても住戸アダプターＣＰＵ４４を参照して、不在状態であれば異常状態としないように制御することにより実現される。この点については上記実施例と同じ動作となる。
また、居住者が帰宅し、住戸アダプター４に接続された在室／不在切替スイッチ６を操作して在室に設定した場合も上記実施例と同じ動作となる。
【００１５】
居住者が帰宅していない状況において、トイレの自動洗浄等で水が使用され水センサ９が検知した場合や、飼っているペットが動き動体検知センサ１０が検知した場合には、この検知信号が住戸アダプター４の住戸アダプターＩＦ４２を介して住戸アダプターＣＰＵ４４に通知される。ここで、住戸アダプターＣＰＵ４４は、在室自動切替スイッチ４３の状態を確認し、オフであることから在室状態への移行をおこなわず不在状態を維持する制御がおこなわれる。
これにより、居住者がいないにもかかわらず、監視状態に移行するような誤動作を防止することができるので誤報を防止することが可能となる。
【符号の説明】
【００１６】
１・・・           集合玄関機
２・・・           制御機
３・・・           管理室親機
４・・・           住戸アダプタ
４３・・・    在室自動切替スイッチ
５・・・           居室親機
６・・・           在室／不在切替スイッチ
７・・・           天井マイク
８・・・           天井スピーカ
９・・・           水センサ
１０・・・         動体検知センサ
【図１】
2011175490.tif 000003
【図２】
2011175490.tif 000004